(57)【要約】【課題】  運搬中のキャリッジの移動を確実に防止できる画像読み取り装置を提供する。【解決手段】  イメージセンサと、前記イメージセンサの受光面に原稿の主走査範囲を結像させる光学系と、前記光学系の少なくとも一部を搭載して移動し、前記主走査範囲を副走査方向に移動させるキャリッジと、前記キャリッジを往復移動可能に収容しているケースと、前記ケースに回転可能に係止され、第一鉤部及び第二鉤部を有し、第一の方向に第一の姿勢まで回転すると前記第一鉤部及び前記第二鉤部が前記キャリッジに係合して前記キャリッジを所定位置に拘束し、前記第一の姿勢から前記第一の方向と反対方向に第二の姿勢まで回転すると前記第一鉤部及び前記第二鉤部から前記キャリッジが開放されるキャリッジ係止部材と、を備えることを特徴とする画像読み取り装置。【選択図】    図１
2005130253.tif 000002
【特許請求の範囲】
【請求項１】
イメージセンサと、
前記イメージセンサの受光面に原稿の主走査範囲を結像させる光学系と、
前記光学系の少なくとも一部を搭載して移動し、前記主走査範囲を副走査方向に移動させるキャリッジと、
前記キャリッジを往復移動可能に収容しているケースと、
前記ケースに回転可能に係止され、第一鉤部及び第二鉤部を有し、第一の方向に第一の姿勢まで回転すると前記第一鉤部及び前記第二鉤部が前記キャリッジに係合して前記キャリッジを所定位置に拘束し、前記第一の姿勢から前記第一の方向と反対方向に第二の姿勢まで回転すると前記第一鉤部及び前記第二鉤部から前記キャリッジが開放されるキャリッジ係止部材と、
を備えることを特徴とする画像読み取り装置。
【請求項２】
前記第一鉤部及び前記第二鉤部は、互いに前記キャリッジ係止部材の回転方向に離間していることを特徴とする請求項１に記載の画像読み取り装置。
【請求項３】
前記キャリッジが摺動可能に嵌合するガイドロッドをさらに備え、
前記キャリッジは、前記ガイドロッドの中心軸線と垂直な方向に前記キャリッジの本体から突出し前記第一鉤部に前記ガイドロッドの中心軸線を中心とする回転移動を規制される第一突部と、前記ガイドロッドの中心軸線と垂直な方向に前記キャリッジの本体から突出し前記第二鉤部に前記ガイドロッドの中心軸線と平行な方向の平行移動を規制される第二突部とを有することを特徴とする請求項２に記載の画像読み取り装置。
【請求項４】
前記キャリッジの移動方向において前記第一突部と前記第二突部がほぼ整列していることを特徴とする請求項３に記載の画像読み取り装置。
【発明の詳細な説明】
【技術分野】
【０００１】
本発明は画像読み取り装置に関する。
【背景技術】
【０００２】
ミラー等を搭載してケース内を移動するキャリッジを備えたフラットベッド型のイメージスキャナ等の画像読み取り装置が知られている。一般にこのような画像読み取り装置には、運搬時の衝撃によりキャリッジが移動することによって光学系やイメージセンサに不具合が生じないように、キャリッジの移動を規制する機構が設けられている。
【０００３】
例えば特許文献１には、ケースに係止された回転部材に設けた鉤状の部位でキャリッジに設けた突部を拘束することによって、キャリッジの移動を規制する画像読み取り装置が開示されている。
しかし、特許文献１に開示された構造では、キャリッジとその搭載物の総重量が増大すると、大きな衝撃が加わったときに回転部材とキャリッジの係合部分が破損してキャリッジが移動するおそれがある。また、特許文献１に開示された構造では、キャリッジが回転部材に拘束されている状態でキャリッジを移動させる力が働くと、キャリッジが回転部材を回転させて移動するおそれがある。
【０００４】
【特許文献１】特願２０００−３１０６１４号公報
【発明の開示】
【発明が解決しようとする課題】
【０００５】
本発明は、これらの問題に鑑みて創作されたものであって、運搬中のキャリッジの移動を確実に防止できる画像読み取り装置を提供することを目的とする。
【課題を解決するための手段】
【０００６】
上記目的を達成するため、本発明に係る画像読み取り装置は、イメージセンサと、前記イメージセンサの受光面に原稿の主走査範囲を結像させる光学系と、前記光学系の少なくとも一部を搭載して移動し、前記主走査範囲を副走査方向に移動させるキャリッジと、前記キャリッジを往復移動可能に収容しているケースと、前記ケースに回転可能に係止され、第一鉤部及び第二鉤部を有し、第一の方向に第一の姿勢まで回転すると前記第一鉤部及び前記第二鉤部が前記キャリッジに係合して前記キャリッジを所定位置に拘束し、前記第一の姿勢から前記第一の方向と反対方向に第二の姿勢まで回転すると前記第一鉤部及び前記第二鉤部から前記キャリッジが開放されるキャリッジ係止部材と、を備えることを特徴とする。キャリッジに係合する鉤部をキャリッジ係止部材に複数設けることにより、キャリッジとキャリッジ係止部材との間に作用する力を分散させ、キャリッジとキャリッジ係止部材の係合部位の破損を防止できる。したがって、本発明に係る画像読み取り装置によると、運搬中のキャリッジの移動を確実に防止できる。
【０００７】
さらに本発明に係る画像読み取り装置では、前記第一鉤部及び前記第二鉤部は、互いに前記キャリッジ係止部材の回転方向に離間していることを特徴とする。キャリッジに係合する複数の鉤部をキャリッジ係止部材の回転方向に離間させることによって、キャリッジ係止部材の回転中心線と垂直な互いに異なる２方向に移動しようとするキャリッジを確実に拘束することができる。
【０００８】
さらに本発明に係る画像読み取り装置では、前記キャリッジが摺動可能に嵌合するガイドロッドをさらに備え、前記キャリッジは、前記ガイドロッドの中心軸線と垂直な方向に前記キャリッジの本体から突出し前記第一鉤部に前記ガイドロッドの中心軸線を中心とする回転移動を規制される第一突部と、前記ガイドロッドの中心軸線と垂直な方向に前記キャリッジの本体から突出し前記第二鉤部に前記ガイドロッドの中心軸線と平行な方向の平行移動を規制される第二突部とを有することを特徴とする。ガイドロッドの中心軸線と垂直な方向に突出する第一突部と回転部材の第一鉤部とを係合させ、ガイドロッドの中心軸線を中心とする第一突部の回転移動を第一鉤部で規制することにより、運搬中にガイドロッドを中心にしてキャリッジが回転移動することを防止できる。ガイドロッドの中心軸線と垂直な方向に突出する第二突部と第二鉤部とを係合させ、ガイドロッドの中心軸線と平行な方向の第二突部の平行移動を第二鉤部で規制することにより、運搬中にガイドロッドに沿ってキャリッジが移動することを防止できる。第一鉤部と第二鉤部とがキャリッジ係止部材の回転方向に互いに離間しているため、運搬中にガイドロッドを中心にしてキャリッジが回転移動することとガイドロッドに沿ってキャリッジが移動することの両方を確実に防止できる。
【０００９】
さらに本発明に係る画像読み取り装置では、前記キャリッジの移動方向において前記第一突部と前記第二突部がほぼ整列していることを特徴とする。キャリッジの移動方向において第一突部と第二突部を整列させることにより、キャリッジの移動に伴う第一突部及び第二突部の平行移動軌跡を小さくし、その結果、画像読み取り装置を小型化することができる。
【発明を実施するための最良の形態】
【００１０】
以下、図面に基づいて本発明の実施の形態を説明する。
図１、２は、それぞれ本発明による画像読み取り装置の一実施例としてのイメージスキャナ１を示す一部切り欠き正面図と断面図であって、第一の姿勢のキャリッジ係止部材１０がキャリッジ１２を拘束している状態を示している。
イメージスキャナ１は、原稿台１４に載置された原稿を読み取る所謂フラットベッド型である。原稿台１４は、ガラス等の透明板で形成され、上面が開口した箱形のケース１６に固定されている。原稿台１４の盤面１８に印刷文書、写真、書籍等の原稿が載置される。
【００１１】
キャリッジ１２は、原稿台１４の盤面１８に対し平行な方向Ａ、Ｂに往復移動自在にケース１６に収容されている。図２に示すように、キャリッジ１２の長手方向一端部は、原稿台１４の盤面１８に対し平行なガイドロッド２０に摺動自在に嵌合している。キャリッジ１２の長手方向他端部の下端にはガイドロッド２０と平行な平端面２２に支持される摺動部２４が設けられている。
図１に示す第一突部２６及び第二突部２８は、キャリッジ１２の側面にガイドロッド２０の中心軸線と垂直な方向に突出している。第一突部２６及び第二突部２８は、ガイドロッド２０の中心軸方向、すなわちキャリッジ１２の移動方向にほぼ整列している。
【００１２】
キャリッジ係止部材１０は、ケース１６に回転可能に係止されている。具体的には例えば、図２に示すように、円柱形の軸部３０がケース１６に形成された円形の開口部３２に回転自在に嵌合し、軸部３０の両端部に軸部３０より大径のノブ３４及びロータ３６が設けられることによって、軸部３０とノブ３４とロータ３６によって構成されるキャリッジ係止部材１０がケース１６に回転可能に係止される。ノブ３４は、ケース１６の外部に露出しており、図１に示すように、硬貨等の板材を嵌合させるための凹部３８が形成されている。凹部３８に硬貨等を嵌合させてノブ３４を回転させることにより、ノブ３４とともにロータ３６が回転する。
【００１３】
第一鉤部４０は、ロータ３６の外周部に形成されている。第一鉤部４０は、キャリッジ１２が図１に示すように移動範囲の一端（以下、キャリッジの移動範囲の一端をホームポジションという。）に位置している状態で第一の方向Ｒにキャリッジ係止部材１０が回転すると第一突部２６に嵌合する第一凹部４２を有する。第一凹部４２に第一突部２６が嵌合する第一の姿勢では、第一鉤部４０が第一突部２６の上に覆い被さった状態になり、キャリッジ係止部材１０の回転中心軸の垂線Ｃ（図３参照）がそれぞれの法線にほぼ一致する部位で第一凹部４２の壁面と第一突部２６の壁面が接する。したがって、ガイドロッド２０の中心軸線を中心としてキャリッジ１２が回転しようとすることによって第一突部２６から第一鉤部４０に作用する力Ｆ（図３参照）によってキャリッジ係止部材１０が回転しにくい。また、第一凹部４２と第一突部２６の接触面Ｈ（図３参照）の法線は、ガイドロッド２０の中心軸線に垂直でその中心軸線を中心とする仮想円盤の外周円の接線方向軸線Ｊ（図２参照）にもほぼ一致する。このため第一突部２６は、第一鉤部４０によってガイドロッド２０の中心軸線を中心とする回転移動を規制される。すなわち、第一鉤部４０は、ガイドロッド２０の中心軸線を中心とするキャリッジ１２の回転移動を規制する。
【００１４】
第二鉤部４４は、ロータ３６の外周部に、第一鉤部４０から中心角で４５°程度キャリッジ係止部材１０の回転方向に離間して形成されている。第二鉤部４４は、キャリッジ１２が図１に示すホームポジションに位置している状態で第一の方向Ｒにキャリッジ係止部材１０が回転すると第二突部２８に嵌合する第二凹部４６を有する。すなわち第一の姿勢では、第一凹部４２に第一突部２６が嵌合すると同時に第二凹部４６に第二突部２８が嵌合する。第二凹部４６に第二突部２８が嵌合すると、キャリッジ係止部材１０の中心軸線の垂線Ｉ（図３参照）がそれぞれのほぼ法線に一致する部位で第二凹部４６の壁面と第二突部２８の壁面が接する。したがって、ガイドロッド２０に沿ってキャリッジ１２が平行移動しようとすることによって第二突部２８から第二鉤部４４に作用する抗力Ｇ（図３参照）により生ずる第二突部２８と第二鉤部４４の接触面の摩擦力がキャリッジ係止部材１０の回転を防止する。また、第二凹部４６に第二突部２８が嵌合すると第二鉤部４４が第二突部２８よりもキャリッジ１２の進行方向（矢印Ｂ方向）前方に位置するため、第二突部２８は、第二鉤部４４によってガイドロッド２０の中心軸線と平行な方向の平行移動を規制される。すなわち、第二鉤部４４は、ガイドロッド２０に沿ったキャリッジ１２の平行移動を規制する。
【００１５】
図４は、キャリッジ１２の内部構造を示す模式図である。
イメージセンサ４８は、フォトダイオード等で構成される図示しないセルが紙面垂直方向に直線的に多数配列された所謂リニアイメージセンサである。光電変換により電荷を蓄積する多数のセルの受光部はセンサ基板の受光面５８上に形成されている。イメージセンサ４８から出力されるアナログ信号は、図示しないＡ／Ｄ変換器によって増幅されディジタル信号に変換されてＡ／Ｄ変換器から出力される。
【００１６】
蛍光管ランプ５０は、その長手方向軸がイメージセンサ４８の長手方向軸と平行に延びるようにキャリッジ１２に搭載されている。蛍光管ランプ５０に照射された原稿５２の主走査範囲の反射光は、複数のミラー５４で反射してレンズ５６に入射し、レンズ５６によってイメージセンサ４８の受光面５８に集光される。また、請求項に記載の光学系に相当するレンズ５６及びミラー５４は、イメージセンサ４８の受光面５８に原稿台１４に載置された原稿５２が鮮明に結像される位置に配置される。
【００１７】
図５、６は、イメージスキャナ１を示す一部切り欠き正面図と断面図であって、キャリッジ係止部材１０の第二の姿勢を示している。
キャリッジ係止部材１０がキャリッジ１２を拘束している第一の姿勢から第一の方向Ｒと反対の第二の方向Ｐにキャリッジ係止部材１０を回転させると、第一突部２６から第一鉤部４０が外れ、第二突部２８から第二鉤部４４が外れるため、第一鉤部４０及び第二鉤部４４からキャリッジ１２が開放される。
【００１８】
第一鉤部４０及び第二鉤部４４から開放された状態では、キャリッジ１２は、ガイドロッド２０に沿って往復移動自在である。原稿を読み取るためにキャリッジ１２をガイドロッド２０に沿って往復移動させるとき、第一突部２６及び第二突部２８がキャリッジ１２の移動方向に整列しているため、第一突部２６及び第二突部２８の移動軌跡は、いずれか一方の移動軌跡とほぼ等しい。すなわち、複数の突部をキャリッジ１２の側面から突出させることによりキャリッジ１２が往復移動するために必要な空間の容積の増大することを、各突部をそのように整列させることにより抑制することができる。
【００１９】
以上説明した本発明の一実施例によると、キャリッジ１２をホームポジションに移動させてキャリッジ係止部材１０を第一の方向Ｒに回転させると、図１に示すように、キャリッジ係止部材１０によってキャリッジ１２を拘束することができる。
キャリッジ係止部材１０によってキャリッジ１２が拘束されている状態で運搬中の衝撃等によりキャリッジ１２からキャリッジ係止部材１０に力が加わるとき、第一鉤部４０と第一突部２６の接触面と、第二鉤部４４と第二突部２８の接触面とに力が分散されるため、キャリッジ係止部材１０及びキャリッジ１２の係合部位の破損が防止される。
【００２０】
また、キャリッジ１２が拘束されている状態で運搬中の衝撃等によりキャリッジ１２がガイドロッド２０に沿って平行移動しようとするとき、第二突部２８から第二鉤部４４に作用する抗力Ｇ（図３参照）により生ずる第二突部２８と第二鉤部４４の接触面の摩擦力によってキャリッジ係止部材１０の回転を確実に規制することができるため、キャリッジ１２のガイドロッド２０に沿った平行移動を確実に防止できる。また、キャリッジ１２が拘束されている状態で運搬中の衝撃等によりキャリッジ１２がガイドロッド２０の中心軸線を中心として回転移動しようとするとき、第一突部２６と第一鉤部４０の接触面Ｈ（図３参照）がキャリッジ１２の回転方向に対してほぼ垂直であるため、ガイドロッド２０の中心軸線を中心とするキャリッジ１２の回転移動を確実に規制することができる。すなわち、第一鉤部４０と第二鉤部４４とをキャリッジ係止部材１０の外周に周方向に互いに離間させて設けているため、キャリッジ１２のガイドロッド２０に沿った平行移動とガイドロッド２０の中心軸線を中心とする回転移動の両方を確実に防止することができる。
【００２１】
上述した実施例では、イメージスキャナ１に本発明を適用した例を説明したが、本発明は複写機等のイメージスキャナ以外の画像読み取り装置にも適用できる。また、上述した実施例では、レンズ縮小型のイメージセンサを用いた例を説明したが、密着型のイメージセンサを用いた画像読み取り装置に本発明を適用してもよい。また、上述した実施例では、レンズ移動型の画像読み取り装置を例示したが、レンズ及びイメージセンサがケースに固定されてミラーとランプだけがキャリッジに搭載される画像読み取り装置に本発明を適用してもよい。また、上述した実施例では、第一鉤部４０及び第二鉤部４４をキャリッジ係止部材１０の周方向に整列させ互いに離間させたが、第一鉤部４０及び第二鉤部４４が周方向に整列していなくてもよいし、第一鉤部４０及び第二鉤部４４がキャリッジ係止部材１０の径方向に整列していてもよい。また、第一鉤部４０と第二鉤部４４の距離は、中心角で９０°程度キャリッジ係止部材１０の回転方向に離間していてもよい。また、上述した実施例では、第一鉤部４０の第一凹部４２及び第二鉤部４４の第二凹部４６をキャリッジ１２の突部に嵌合させたが、第一鉤部４０の先端及び第二鉤部４４の先端がキャリッジ１２に形成された凹部に嵌合させてもよい。
【図面の簡単な説明】
【００２２】
【図１】本発明の一実施例に係る一部切り欠き正面図である。
【図２】本発明の一実施例に係る断面図である。
【図３】本発明の一実施例に係る一部切り欠き正面図である。
【図４】本発明の一実施例に係る断面図である。
【図５】本発明の一実施例に係る一部切り欠き正面図である。
【図６】本発明の一実施例に係る断面図である。
【符号の説明】
【００２３】
１  イメージスキャナ（画像読み取り装置）、１０  キャリッジ係止部材、１２  キャリッジ、１６  ケース、２０  ガイドロッド、２６  第一突部、２８  第二突部、４０  第一鉤部、４４  第二鉤部、４８  イメージセンサ、５２  原稿、５４  ミラー（光学系）、５６  レンズ（光学系）、５８  受光面
【図１】
2005130253.tif 000003
【図２】
2005130253.tif 000004
【図３】
2005130253.tif 000005
【図４】
2005130253.tif 000006
【図５】
2005130253.tif 000007
【図６】
2005130253.tif 000008